(57)【特許請求の範囲】
【請求項１】
検索のためのキーワードが入力されるキーワード入力手段と、
入力された前記キーワードの表記の形態を判別する表記判別手段と、
表記の形態に応じて前記キーワードが表す内容を判別し、前記内容から前記キーワードの属性を決定する属性決定手段と、
前記属性に応じたサービスを提供するウェブサイトやコンテンツを検索する検索手段と、
検索した前記ウェブサイトや前記コンテンツのリンク先データを表示する表示手段と、
前記表示手段が表示している前記リンク先データの選択により、対応するウェブサイトをアクセスするアクセス手段と、
を備えたウェブ情報提供システム。
【請求項２】
前記アクセス手段は、アクセスする前記ウェブサイトに対して、前記キーワードの表記内容が示すサービスの提供を指示することを特徴とする請求項１に記載のウェブ情報提供システム。
【請求項３】
前記属性決定手段は、前記キーワードの表記の形態が言語であるとき、前記キーワードが表す内容が予め保持している名詞と一致していると、一致した前記名詞から前記キーワードの属性を決定することを特徴とする請求項１又は２に記載のウェブ情報提供システム。
【請求項４】
前記属性決定手段は、前記キーワードの表記の形態が数字であるとき、数字の桁数や特定の桁の数字から前記キーワードの属性を決定することを特徴とする請求項１又は２に記載のウェブ情報提供システム。
【請求項５】
前記属性決定手段は、前記キーワードの表記の形態が数字・記号・アルファベットのうちの２つ以上の種類にて構成されているとき、その配列に基づき前記キーワードの属性を決定することを特徴とする請求項１又は２に記載のウェブ情報提供システム。
【請求項６】
前記キーワード入力手段に複数の前記キーワードが入力されたとき、前記表記判別手段は前記キーワード毎にその表記を判別し、前記検索手段は、前記属性決定手段が決定した前記キーワード毎の前記属性の組み合わせに基づき対応するウェブサイトやコンテンツを検索することを特徴とする請求項１又は２に記載のウェブ情報提供システム。
【請求項７】
前記表示手段は、前記検索手段の検索した前記ウェブサイトや前記コンテンツのリンク先データが複数の場合には、所定の優先順位にて表示することを特徴とする請求項１又は２に記載のウェブ情報提供システム。
【請求項８】
前記表示手段は、前記検索手段の検索した前記ウェブサイトや前記コンテンツのリンク先データとともに、検索エンジンを有する検索サイトのリンク先データも表示することを特徴とする請求項１又は２に記載のウェブ情報提供システム。
【請求項９】
前記表示手段は、表示する前記ウェブサイトや前記コンテンツのリンク先データの有無に係らず、検索エンジンを有する検索サイトのリンク先データも表示することを特徴とする請求項１又は２に記載のウェブ情報提供システム。
【請求項１０】
前記表示手段は、前記リンク先データをカテゴリー化して表示することを特徴とする請求項１又は２に記載のウェブ情報提供システム。
【請求項１１】
前記リンク先データはアイコンであることを特徴とする請求項１又は２に記載のウェブ情報提供システム。
【請求項１２】
前記属性決定手段が前記キーワードの属性を日付又は時刻と決定したとき、該当する前記日付又は前記時刻の予定を入力する予定表入力手段を備えた請求項１又は２に記載のウェブ情報提供システム。
【請求項１３】
入力されたキーワードの表記の形態を判別するステップと、
表記の形態に応じて前記キーワードが表す内容を判別し、前記内容から前記キーワードの属性を決定するステップと、
前記属性に応じたサービスを提供するウェブサイトやコンテンツを検索するステップと、
検索した前記ウェブサイトや前記コンテンツのリンク先データを表示するステップと、
をコンピュータに実行させるためのウェブ情報提供プログラム。
【請求項１４】
前記検索した前記ウェブサイトや前記コンテンツのリンク先データが複数の場合には、
所定の優先順位にて表示することを特徴とする請求項１３に記載のウェブ情報提供プログラム。
【請求項１５】
前記キーワードの属性を決定するステップは、前記キーワードの表記の形態が言語であるとき、前記キーワードが表す内容が予め保持している名詞と一致していると、一致した前記名詞から前記キーワードの属性を決定するステップを含むことを特徴とする請求項１３に記載のウェブ情報提供プログラム。
【請求項１６】
前記キーワードの属性を決定するステップは、前記キーワードの表記の形態が数字であるとき、数字の桁数や特定の桁の数字から前記キーワードの属性を決定するステップを含むことを特徴とする請求項１３に記載のウェブ情報提供プログラム。
【請求項１７】
前記キーワードの属性を決定するステップは、前記キーワードの表記の形態が数字・記号・アルファベットのうちの２つ以上の種類にて構成されているとき、その配列に基づき前記キーワードの属性を決定するステップを含むことを特徴とする請求項１３に記載のウェブ情報提供プログラム。
【発明の詳細な説明】
【技術分野】
【０００１】
本発明は、利用者が検索キーワードを入力すると、そのキーワードに関連したウェブサイトやコンテンツへのリンク先データを提供できるようにしたウェブ情報提供システム及びウェブ情報提供プログラムに関する。
【背景技術】
【０００２】
従来、利用者がインターネット上で情報を得たいウェブサイトを検索するには、検索サイトを開き検索エンジンを利用して、検索キーワードを入力することで必要なウェブサイトにアクセスしている。また、言葉の意味や専門語句を調べたい場合には、辞書サイト等の情報サイトを開いている。しかし、不特定多数の情報の中から利用者が欲する情報に辿りつくには適宜、情報を取捨選択しながらウェブサイトを遍歴して行かなければならず手間を要する場合があった。
【０００３】
そのため、通信ネットワークを通して、情報端末から検索キーワードを入力すれば、自動的に候補となるリンク先データを提供する検索サービス提供システムが知られている（例えば、特許文献１を参照）。この場合、情報検索サーバでは、リンク先データをインデックス量や更新日時などの一定の条件に基づいて決定した順位にて表示することで、利用者によって選ばれる可能性の高いウェブサイトを候補として上げることができるようになっている。
【先行技術文献】
【特許文献】
【０００４】
【特許文献１】特開２００６−１０７２００号公報
【発明の概要】
【発明が解決しようとする課題】
【０００５】
しかしながら、利用者がウェブサイトを検索する動機はまちまちであり、上記の従来技術では、利用者によっては、その目的に適っていないウェブサイトが候補の上位に上げられる不具合がある。例えば、そのとき利用者が、地図情報を知りたい、ホテルを予約したい、或いは電車の終電情報を知りたい等の目的があって、このようなサービスを提供してくれるウェブサイトを探しているような場合は比較的緊急性が高いのであるが、上記従来技術によるウェブサイト検索システムでは、検索キーワードに関連した種々のウェブサイトが上げられるために、希望のサービスを提供してくれるウェブサイトに到達するには時間を要することがあり、利便性の面で問題がある。
【０００６】
本発明は、上記点から、利用者が提供してもらいたいサービスに関係するキーワードを入力することにより、それに応じたサービスを提供するウェブサイトやコンテンツを検索し、それへのリンク先データを表示することができるウェブ情報提供システム及びウェブ情報提供プログラムを提供することを目的としている。
【課題を解決するための手段】
【０００７】
上記課題を解決するために、本発明によるウェブ情報提供システムは、検索のためのキーワードが入力されるキーワード入力手段と、入力された前記キーワードの表記の形態を判別する表記判別手段と、表記の形態に応じて前記キーワードが表す内容を判別し、前記内容から前記キーワードの属性を決定する属性決定手段と、前記属性に応じたサービスを提供するウェブサイトやコンテンツを検索する検索手段と、検索した前記ウェブサイトや前記コンテンツのリンク先データを表示する表示手段と、前記表示手段が表示している前記リンク先データの選択により、対応するウェブサイトをアクセスするアクセス手段と、を備えている。
【０００８】
ここで、前記アクセス手段は、アクセスする前記ウェブサイトに対して、前記キーワードの表記内容が示すサービスの提供を指示することを特徴としている。また、前記リンク先データはアイコンであることを特徴としている。
【０００９】
そして、前記属性決定手段は、前記キーワードの表記の形態が言語であるとき、前記キーワードが表す内容が予め保持している名詞と一致していると、一致した前記名詞から前記キーワードの属性を決定することを特徴としている。また、前記属性決定手段は、前記キーワードの表記の形態が数字であるとき、数字の桁数や特定の桁の数字から前記キーワードの属性を決定することを特徴としている。また、前記属性決定手段は、前記キーワードの表記の形態が数字・記号・アルファベットのうちの２つ以上の種類にて構成されているときは、その配列に基づき前記キーワードの属性を決定することを特徴としている。
【００１０】
そして、前記キーワード入力手段に複数の前記キーワードが入力されたとき、前記表記判別手段は前記キーワード毎にその表記を判別し、前記検索手段は、前記属性決定手段が決定した前記キーワード毎の前記属性の組み合わせに基づき対応するウェブサイトやコンテンツを検索することを特徴としている。
【００１１】
そして、前記表示手段は、前記検索手段の検索した前記ウェブサイトや前記コンテンツのリンク先データとともに、検索エンジンを有する検索サイトのリンク先データも表示することを特徴としている。このとき、前記表示手段は、リンク先データが複数ある場合には、所定の優先順位に沿って表示する。また、前記表示手段は、表示する前記ウェブサイトや前記コンテンツのリンク先データの有無に係らず、前記検索エンジンを有する前記検索サイトのリンク先データも表示することを特徴としている。また、前記表示手段は、前記リンク先データをカテゴリー化して表示することを特徴としている。
【００１２】
そして、前記属性決定手段が前記キーワードの属性を日付又は時刻と決定したとき、該当する前記日付又は前記時刻の予定を入力する予定表入力手段を備えたことを特徴としている。これにより、ウェブ情報提供の処理中に予定表入力の処理も行うことができる。
【００１３】
本発明によるウェブ情報提供プログラムは、入力されたキーワードの表記の形態を判別するステップと、表記の形態に応じて前記キーワードが表す内容を判別し、前記内容から前記キーワードの属性を決定するステップと、前記属性に応じたサービスを提供するウェブサイトやコンテンツを検索するステップと、検索した前記ウェブサイトや前記コンテンツのリンク先データを出力するステップと、を備えている。
【００１４】
そして、前記キーワードの属性を決定するステップは、前記キーワードの表記の形態が言語であるとき、前記キーワードが表す内容が予め保持している名詞と一致していると、一致した前記名詞から前記キーワードの属性を決定することを特徴としている。また、前記キーワードの表記の形態が数字であるとき、数字の桁数や特定の桁の数字から前記キーワードの属性を決定することを特徴としている。また、前記キーワードの表記の形態が数字・記号・アルファベットのうちの２つ以上の種類にて構成されているとき、その配列に基づき前記キーワードの属性を決定することを特徴としている。
【発明の効果】
【００１５】
本発明によるウェブ情報提供システム及びウェブ情報提供プログラムは、入力されるキーワードの表記の形態からこのキーワードが表す内容を判別して、その内容に応じてキーワードの属性を決定し、属性に応じたサービスを提供するウェブサイトやコンテンツを検索してリンク先データを表示し、リンク先データが選択されると、対応するウェブサイトやコンテンツにアクセスすることができるようになっている。
【００１６】
この構成により、キーワードを入力することで、このキーワードに応じたサービスを提供するウェブサイトまたはコンテンツを簡単に検索することができ、利用者にとって利便性の高いウェブ情報提供システム及びウェブ情報提供プログラムが提供される。
【図面の簡単な説明】
【００１７】
【図１】本発明に係るウェブ情報提供システムの構成を示すブロック図。
【図２】本発明に係るウェブ情報提供システムの携帯電話機での実施形態を示すブロック図。
【図３】本発明の携帯電話機での実施形態における動作ステップを示すフローチャート。
【図４】キーワード入力時における携帯電話機の表示画面の説明図。
【図５】検索結果を表示している携帯電話機の表示画面の説明図。
【図６】地図情報を表示している携帯電話機の表示画面の説明図。
【図７】携帯電話機の表示画面上でのスクロール動作の説明図。
【図８】検索結果を表示している携帯電話機の表示画面の説明図。
【図９】検索結果を表示している携帯電話機の表示画面の説明図。
【図１０】アクセスしたウェブサイトのウェブページを表示している携帯電話機の表示画面の説明図。
【発明を実施するための形態】
【００１８】
本発明の実施の形態について、図面に基づいて説明する。図１は、本発明に係るウェブ情報提供システムの構成を示している。図１に示すウェブ情報提供システム１０は、キーワード入力手段１１と、表記判別手段１２と、属性決定手段１３と、検索手段１４と、表示手段１５と、データベース１６と、データテーブル１７と、ウェブサイト１９にアクセスするアクセス手段１８を備えている。
【００１９】
キーワード入力手段１１には、利用者によって検索のためのキーワードが入力される。キーワードが入力されると、表記判別手段１２は、キーワードの表記からこのキーワードの表記は言語（日本語）であるのか、数字であるのか、または数字・記号・アルファベットの組み合わせであるのかの判別を行う。
【００２０】
属性決定手段１３は、この表記の判別を受けてキーワードが表している内容からその属性を決定する。すなわち、予め何種類かの属性を定めており、その中から該当する１つまたは複数の属性を選び出してこのキーワードの属性に決定する。
【００２１】
表記が言語であれば、キーワードは名詞を表すものとして、属性決定手段１３は、データベース１６の名詞ＤＢに予め保持している名詞との一致を調べる。そして一致していると、その名詞の表す内容に応じてキーワードの属性を決定する。名詞ＤＢには著名な地名，人名，社名，屋号及び国名等の固有名詞や、料理名や職種等の良く使用される一般名詞を記憶している。従って、属性決定手段１３は、名詞ＤＢに保持している名詞と照合し、キーワードが「新宿」を表すことを判別すると、予め定めてある属性の中から「地名」や「駅名」を選び出してこのキーワードの属性に決定する。尚、言語は日本語に限るものではなくその他の言語でも良いが、そのときは、その言語に応じた名詞ＤＢを用意する必要がある。
【００２２】
表記が数字であれば、その桁数や特定の桁での数字等によってキーワードの数列が表す内容を判別し、判別した内容からその属性を決定する。例えば、０から始まる数字２桁（または３桁，４桁，５桁）は市外局番の可能性があり、データベース１６の市外局番データＤＢと照合して一致すれば、その市外局番が示す地域を属性と決定する。また、４桁の数字であれば株式の銘柄コードの可能性があり、データベース１６の銘柄ＤＢと照合して一致すれば、予め定めてある属性の中から「株式」や「会社」を選び出してこのキーワードの属性と決定する。さらに、１又は複数桁の数字そのもので屋号等を表わしている場合もあり、これからも属性を選び出して決定することができる。
【００２３】
表記が数字・記号・アルファベットのうちの２つ以上の組み合わせであれば、属性決定手段１３は、その配列から属性を決定できる。例えば、１桁目から３桁目が数字で、その後にハイフンを置いて、４桁数字が続けば郵便番号の可能性があり、データベース１６の郵便番号ＤＢと照合して一致すれば、その郵便番号が示す地域や「郵便」を属性と決定する。また、１桁目から３桁目が数字のみのキーワードでも郵便番号の可能性がある。
【００２４】
データベース１６には、上記以外にも、キーワードの属性を決定するために照合する種々のデータが保持されている。
【００２５】
検索手段１４は、決定された属性を基にしてデータテーブル１７から対応するウェブサイトやコンテンツを検索する。データテーブル１７は、属性の「地名」や「駅名」に対照させてインターネット上の地図検索サイト，路線検索サイト及びホテル予約サイトのリンク先データを記憶している。例えば、キーワードに「新宿」と入力されると、属性決定手段１３はその属性を「地名」や「駅名」と決定するために、検索手段１４は、地図検索サイトと路線検索サイトとホテル予約サイトのリンク先データをデータテーブル１７から読み取る。
【００２６】
そして、表示手段１５は、検索手段１４が読み取ったリンク先データを表示し、アクセス手段１８は表示手段１５が表示しているリンク先データが選択されるとリンク先にアクセスして、そのウェブサイト１９のウェブページを表示手段１５に表示する。
【００２７】
キーワード入力手段１１に「新宿」と入力した利用者は、「新宿の地図を知りたい」、「新宿のホテルを予約したい」、「新宿で買い物したい」或いは「新宿の公共交通機関を調べたい」等の要望があって検索をかけていることが考えられ、利用者は要望内容に応じて地図検索サイトや路線検索サイトやホテル予約サイトの何れかを選択することで、アクセス手段１８は選択されたウェブサイト１９をアクセスして、このウェブサイト１９のウェブページを表示手段１５に表示させる。
【００２８】
アクセス手段１８が、ウェブサイト１９をアクセスする場合、キーワード入力手段１１へのキーワードのサービスの提供をウェブサイト１９に指示する。従って、例えば、利用者が地図検索サイトのリンク先データを選択した場合、アクセス手段１８は、地図検索サイトであるウェブサイト１９に対して、キーワードの「新宿」の地図を表示するよう指示を送り、表示手段１５はウェブサイト１９から送られてくる「新宿」の地図を表示する。
【００２９】
このように、本発明に係るウェブ情報提供システム１０は、利用者がキーワードを入力することで、このキーワードに関連する地図提供やホテル予約等のサービスを提供するウェブサイトやコンテンツへのリンク先アドレスを表示して、利用者が提供を受けたいサービスに応じてリンク先アドレスを選択することで必要なサービスを得ることができる。
【００３０】
かかるウェブ情報提供システム１０は、種々の形態にて実施可能で、その一例として、情報端末装置にウェブ情報提供システム１０の機能をアプリケーションプログラムとして組み込み構成することができる。この場合の情報端末装置としては、アプリケーションプログラムが実行可能な情報機器であれば、パソコンは勿論のこと、インターネットに接続することができる携帯電話機、ＰＤＡ、ＴＶ受像機等が利用できる。
【００３１】
以下、アプリケーションプログラムが実行可能な情報機器への適用例として、携帯電話機を用いた実施の形態で本発明を詳述する。
【００３２】
図２は、携帯電話機１の構成を概略的に示すもので、システムバス２０に、ＣＰＵ２１，ＲＡＭ２２，ＲＯＭ２３，通信装置２４，表示装置２５及びタッチスクリーン入力装置２６を接続して構成される。
【００３３】
タッチスクリーン入力装置２６は、表示装置２５に表示されるタッチスクリーン画面へのタッチを容量変化にて感知するもので、駆動回路２６Ａからの駆動ライン及び感知回路２６Ｂへの入力ラインをマトリクス状にタッチスクリーン画面上に配置して構成される。
【００３４】
ＲＯＭ２３には、携帯電話機１の基本ＯＳと共にウェブ情報提供のアプリケーションプログラムが格納されており、利用者はこのアプリケーションプログラムを選択して起動し、終了することができる。また、ＲＡＭ２２には、図１で説明したデータベース１６の格納データの記憶エリア２２Ａ及びデータテーブル１７の記憶領域２２Ｂがそれぞれ設定されている。
【００３５】
図３にウェブ情報提供のアプリケーションプログラムの制御フローを示して、ＣＰＵ２１の動作を説明する。
【００３６】
ＣＰＵ２１は、ウェブ情報提供のアプリケーションプログラムを起動すると、ステップＳ１にて表示装置２５にタッチスクリーンを表示し、ステップＳ２にてタッチスクリーン入力装置２６を制御してキーワードの入力を待機する。図４は、この状態での表示装置２５の表示画面を示しており、タッチスクリーンによる入力画面３と入力ボックス４と検索結果表示画面５とが表示されている。尚、このとき、検索結果表示画面５は、検索前であるために無表示の状態にある。
【００３７】
そして、利用者は、入力画面３を操作して入力ボックス４にキーワードを入力するが、このとき、複数のキーワードを入力する場合には、利用者はキーワード間にスペースを設けることになっている。そして、利用者による入力ボックスへ４への入力が終了すると、ステップＳ３にてキーワードを読み取る。次のステップＳ４では、読み取ったキーワードが言語（日本語）であるかを判別し、言語でない場合はステップＳ５でキーワードが全て数字で構成されているかを判別し、全て数字で構成されていない場合はステップＳ６でキーワードは全て英文字であるかを判別する。
【００３８】
ステップＳ４でキーワードが言語であることを判別すると、ステップＳ７に移行して、キーワードが表す内容を判別する処理となる。ステップＳ７では、データベース記憶エリア２２Ａの格納されている駅名・地名・ホテル名・会社名等の名詞との一致を照合する。上記したごとく、キーワードに「新宿」と入力すれば、駅名データや地名データとしての「新宿」と一致するために、ステップＳ１０にてキーワードの属性を「駅名」や「地名」と決定する。
【００３９】
ステップＳ５でキーワードが全て数字であることが判別されると、ステップＳ８に移行して、キーワードが表す内容を判別する処理となる。ステップＳ８では、数字列の桁数をカウントし、その桁数や特定の桁での数字等によってキーワードの数列が表す内容を判別する。そして、ステップＳ１０にて、判別したキーワードの内容からその属性を決定する。前述した市外局番や銘柄コード以外の例を上げると、数字９桁や１４桁乃至２０桁であれば荷物追跡番号の可能性があり、予め定めてある属性の中から「宅配」を選び出してこのキーワードの属性に決定し、１３桁であればＪＡＮ（Japanese Article Number）コード又はＩＳＢＮ（International Standard Book Numbering）コードの可能性がそれぞれあり、予め定めてある属性の中から「商品」や「書籍」を選び出してこのキーワードの属性に決定する。
【００４０】
ステップＳ６でキーワードは全て英文字でないことを判別すると、この場合、キーワードは数字・記号・アルファベットの組み合わせであると判別できる。従って、ステップＳ９での処理となって、このキーワードが表す内容を判別する。上述の郵便番号以外の例を上げると、９桁の数字を挟み先頭と最後のそれぞれ２桁をアルファベットの文字列のキーワードは上記したのとは別に定められているある荷物追跡番号、＠を含む文字列はメールアドレスの可能性があり、この判別結果をもとに、ステップＳ１０にて、予め定めてある何れかの属性と決定する。
【００４１】
このようにしてステップＳ１０にて属性を決定すると、ステップＳ１１にて、入力ボックス４に半角スペースを置いて入力された全てのキーワードに対して属性が決定されているかを判別し、全てに対して決定していない場合はステップＳ４からの処理に戻る。
【００４２】
そして、属性を決定するとステップＳ１２の処理となり、決定した属性に応じて、関係するウェブサイトやコンテンツを決定し、ステップＳ１３ではこのウェブサイトやコンテンツのリンク先データをアイコンで表示する。このとき、リンク先データが複数ある場合は所定の優先順位で表示する。優先順位は属性に応じて決定されるもので、例えば、属性が「地名」である場合には、地図情報を提供するウェブサイトやコンテンツのリンク先データが優先順位のトップとなるようにプログラムされている。
【００４３】
図５は、ステップＳ１３での処理におけるリンク先データのアイコン表示の具体例を示している。図５の例では、入力ボックス４に単一のキーワードとして「新宿」が入力されて、これにより「新宿」に関係するサービスを提供するウェブサイトやコンテンツの検索結果を検索結果表示画面５に表示している状態を示す。検索結果表示画面５のカテゴリー表示部５Ａは、そのウェブサイトやコンテンツが提供できるサービスをカテゴリー毎に分類して表示しており、サービス表示部５Ｂはカテゴリーの分類に沿って、そのサービスを提供するウェブサイトまたはコンテンツへのリンク先データをアイコンで表示している。
【００４４】
この例においては、「新宿」のキーワードに関して、属性は上述したように「駅名」や「地名」であるから、これに基づいて、「地図」のカテゴリーには地図検索サイトＡ及びＢのアイコンａとアイコンｂとを表示し、「ホテル」のカテゴリーにはホテル予約サイトＣ及びＤのアイコンｃとアイコンｄとを表示している。
【００４５】
また、キーワードの属性に係らず「検索」のカテゴリーを表示して、ステップＳ１３では検索エンジンを備えた検索サイトＧ，Ｙのアイコンｇ，ｙも併せて表示するようプログラムされている。キーワードに「新宿」とのみ入力したような場合、利用者は「新宿」についての一般的な情報や知識の提供を希望することも考えられるために、「検索」のカテゴリーは高い優先順位で表示される。
【００４６】
そして、表示するウェブサイトやコンテンツのリンク先データの有無に係らず、「検索」のカテゴリーを表示するようにプログラムしており、これにより、入力されたキーワードに該当するようなリンク先データが見つからない場合には、検索サイトのリンク先データが表示されるために、利用者は検索サイトに直ぐにアクセスすることで次の操作に素早く移れて利便性が良い。
【００４７】
また、ステップＳ６にてキーワードが全て英文字であることを判別したときは、ステップＳ１３に移行して、「検索」のカテゴリー表示と検索サイトのリンク先データを表示することで、検索サイトを選択すればこの英文字のキーワードにて検索を行えるようにプログラムしている。
【００４８】
本実施例では、言語を日本語のみとしているが、英語も可能とするのであれば、
ステップＳ６の処理にてキーワードが全て英文字であることを判別したとき、ステップＳ７における日本語の場合と同様な、英語でのキーワードが表す内容を判別するステップを追加する。この場合、英語に応じた名詞ＤＢが必要となる。
【００４９】
図５の表示状態で、ＣＰＵ２１は、地図検索サイトＡのアイコンａがタップにより選択されるのをタッチスクリーン入力装置２６からの信号にて検知すると、通信装置２４を制御してこの地図検索サイトＡをアクセスして新宿の地図を表示するよう指示を送り、表示手段１５は地図検索サイトＡから送られてくる新宿の地図を表示装置２５に表示する。このとき、携帯電話機１の表示画面は、図６に示すように入力ボックス４を除き地図を表示している。
【００５０】
また、図５において、アイコンの表示は、ステップＳ１３の処理にて優先順位の高いカテゴリーが入力ボックス４に近く位置するよう配列されている。よって、図７に示すように画面タッチにて画面をスクロールすると、入力画面３が消えて入力ボックス４は下段へと移動して検索結果表示画面５の領域が広がり、順位の低い「お買い物」のカテゴリーに属するウェブサイトやコンテンツＥ，Ｆのアイコンｅとアイコンｆとが表示されており、更には「その他」のカテゴリーの欄にも「新宿」に関係したサービスを提供するウェブサイトやコンテンツＬ，Ｐのアイコンｌとアイコンｐとが表示されている（図８）。このとき、「その他」のカテゴリーに「新宿」と直接の関係があるウェブサイトやコンテンツが表示されていない場合、「その他」のカテゴリーは選択不可能としている。
【００５１】
尚、本実施例においては、ウェブ情報提供のアプリケーションプログラムを実行中に、便宜上、ユーザーがメール処理を行えるよう、カテゴリー表示部５Ａに「メール」の欄を設けてメールソフトＭまたはメールソフトＮを選択するアイコンｍ，ｎを表示するようプログラムされている。
【００５２】
各カテゴリーにおいてもウェブサイトやコンテンツのアイコンは、ステップＳ１３の処理にて左から優先順位で表示しており、例えば、図８において、「お買い物」のカテゴリーはウェブサイトやコンテンツＥ，Ｆのアイコンｅとアイコンｆを表示しているが、アイコンｆの右隣の余白をタップしたり、或いは横方向へのスクロール動作を行うと、低い順位にあるウェブサイトやコンテンツＨ，Ｉ，Ｊのアイコンｈ，ｉ，ｊも表示される。この場合、ＣＰＵ２１は余白へのタップまたはスクロールをタッチスクリーン入力装置２６からの信号にて検知すると、表示装置２５を制御して、図９に示すように「お買い物」のカテゴリー表示を消し、この行の全てにアイコンｅ乃至アイコンｊを表示させる。スクロール動作の場合には、左または右へのスクロールにて一連のアイコンを瞬時に確認できるために使い勝手が向上する。
【００５３】
そして、ウェブサイトＥのアイコンｅがタップされると、ＣＰＵ２１は通信装置２４を制御してウェブサイトＥをアクセスし、そのウェブページを表示装置２５に表示する（図１０）。このウェブサイトＥは、インターネット上のショッピングサイトであったり、新宿の有名店のウェブサイトであったりする。
【００５４】
さらに例を挙げると、ステップＳ８にてキーワードが荷物追跡番号である可能性を判断し、ステップＳ１０にて属性を「荷物追跡」と決定すると、宅配業者のウェブサイトのアイコンをステップＳ１３で表示する。そして、ＣＰＵ２１は、宅配業者のウェブサイトのアイコンがタップにより選択されるのをタッチスクリーン入力装置２６からの信号にて検知すると、通信装置２４を制御してこの宅配業者のウェブサイトをアクセスする。これにより、荷物追跡番号に基づき荷物の運搬状況等のデータが表示画面に表示され、利用者は確認を行うことができる。
【００５５】
キーワードが複数の場合には、ステップＳ４からステップＳ１１までの処理を繰り返してキーワード毎に属性を決定するが、例えば、２つのキーワードが「道玄坂」と「１−１」であれば、「道玄坂」の属性を「地名」、「１−１」の属性を「番地」と決定して、ステップＳ１２ではこの属性の組み合わせにより、地図検索サイトのアイコンを表示する。そして、このアイコンの選択により表示装置２５は「道玄坂１−１」の地図が表示される。
【００５６】
また、入力ボックス４に入力されたキーワードが数字と記号の組み合わせであることをステップＳ６で判別すると、例えば、「２０１１／１２／３１」のように数字をスラッシュで繋ぐものであると日付の可能性があり、「１２：００」のように数字をコロンで繋ぐものであれば、ステップＳ９においては属性を「日付」や「時刻」と決定すると、ＣＰＵ２１は該当する日付又は時刻の予定を表示する。
【００５７】
具体的には、携帯電話機１は、ＲＯＭ２３にカレンダー機能のプログラムが格納されており、このプログラムのアイコンをステップＳ１３にて表示し、このアイコンが選択されると予定表管理のアプリケーションプログラムを起動して当該日付や時刻の管理ページを表示装置２５に表示する。このように、時刻や日付を表す数字と記号の組み合わせをキーワードに入力することで、ウェブ情報提供のアプリケーションプログラムを実行中にカレンダーを起動して、素早く予定表の確認を行うことができる。
【００５８】
上記した本発明によるウェブ情報提供システム及びウェブ情報提供プログラムは、入力されたキーワードの表記の形態からこのキーワードが表す内容を判別して、その内容からキーワードの属性を決定し、そして、その属性に応じたサービスを提供するウェブサイトやコンテンツへのリンク先データを表示するものである。よって、利用者は、キーワードを入力すれば、地図情報の提供サービス、ホテル予約サービス、荷物運搬状況の確認サービス、検索サービス等のサービスを提供する種々のウェブサイトを簡単に検索できるため、あとは所望のリンク先データを選択するだけで、必要なサービスを提供してくれるウェブサイトへ容易にアクセスすることができる。
【００５９】
本発明は上記実施の形態に限定されず、種々変更して実施することが可能である。例えば、タッチスクリーンを有する携帯電話機で説明したが、入力装置はタッチスクリーンに限定されるものではなく、ウェブ情報提供のアプリケーションプログラムを組み込む情報端末装置が入力装置として備えているマウスやキーボード等の各種デバイスであっても良く、
また、上記したごとく、ウェブ情報提供システム１０の機能を、携帯電話機１などの情報端末装置にアプリケーションプログラムとして組み込み構成する以外にも、ウェブ情報提供システム１０における表記判別手段１２，属性決定手段１３，検索手段１４，データベース１６及びデータテーブル１７の機能をサーバに持ち、キー入力手段１１，表示手段１５及びアクセス手段１８を有する情報端末装置にてこのサーバをアクセスする構成でも良い。その他も、本発明の目的の範囲を逸脱しない限りにおいて適宜変更して実施することが可能である。
【産業上の利用可能性】
【００６０】
本発明は、利用者が入力したキーワードに応じたサービスを提供するウェブサイトまたはコンテンツを検索してリンク先データを表示するウェブ情報提供システム及びウェブ情報提供プログラムであり、産業上の利用可能性を有する。
【符号の説明】
【００６１】
１０    ウェブ情報提供システム
１１    キーワード入力手段
１３    属性決定手段
１４    検索手段
１５    表示手段
１６    データベース
１８    アクセス手段
【図１】
0005749626.tif 000002
【図２】
0005749626.tif 000003
【図３】
0005749626.tif 000004
【図４】
0005749626.tif 000005
【図５】
0005749626.tif 000006
【図６】
0005749626.tif 000007
【図７】
0005749626.tif 000008
【図８】
0005749626.tif 000009
【図９】
0005749626.tif 000010
【図１０】
0005749626.tif 000011